(57)【要約】【課題】レーザレーダ装置の窓部に付着した物体が自然な泥汚れであるかを検出することができるレーザレーダ装置の泥汚れ検出方法、泥汚れ検出装置、泥汚れ検出プログラムを提供する。【解決手段】移動体の速度および当該移動体までの距離を取得し（Ｓ１）、取得した移動体の速度に基づいてその移動体が地面の水たまりを通過したと仮定した場合に跳ね上げられた水しぶきが飛散する可能性のある飛散範囲を推定し（Ｓ２）、レーザレーダ装置と移動体までの距離が飛散範囲内である場合（Ｓ３）、移動体によって跳ね上げられた水しぶきがレーザレーダ装置に到達すると予想される到達時刻を推定し（Ｓ４）、窓部の位置に新たに物体が検出された場合には（Ｓ５：ＹＥＳ）、物体が検出された時刻が到達予想時刻に一致するとき（Ｓ６：ＹＥＳ）、検出された物体を泥汚れと判別する（Ｓ７）。【選択図】図４
2017090381.tif 000002
【特許請求の範囲】
【請求項１】
所定の走査角度ごとに物体までの距離を測定するレーザレーダ装置の窓部の泥汚れを判定するレーザレーダ装置の泥汚れ検出方法であって、
前記レーザレーダ装置によって検出された移動体の速度および当該移動体までの距離を取得する移動体情報取得処理と、
前記移動体情報取得処理によって取得された前記移動体の速度に基づいて、前記移動体が地面の水たまりを通過したと仮定した場合に当該移動体によって跳ね上げられた水しぶきが飛散する可能性のある飛散範囲を推定する飛散範囲推定処理と、
前記レーザレーダ装置と前記移動体との距離が前記飛散範囲推定処理によって推定された前記飛散範囲内である場合、前記移動体によって跳ね上げられた水しぶきが前記レーザレーダ装置に到達すると予想される到達時刻を推定する到達時刻推定処理と、
前記窓部の位置に新たに物体が検出された場合、当該物体が検出された時刻が前記到達時刻推定処理によって推定された前記到達予想時刻に一致するとき、前記窓部の位置に検出された物体を泥汚れと判別する判別処理と、
を含むことを特徴とするレーザレーダ装置の泥汚れ検出方法。
【請求項２】
前記飛散範囲推定処理では、前記水しぶきが、前記移動体の速度との関係が予め対応付けられている初速度および投射角度で斜方投射された後に放物線運動するものとして、前記飛散範囲を推定することを特徴とする請求項１記載のレーザレーダ装置の泥汚れ検出方法。
【請求項３】
前記飛散範囲推定処理では、前記水しぶきの初速度が前記移動体の速度に一致し、前記投射角度が４５°であるとして、前記飛散範囲を推定することを特徴とする請求項２記載のレーザレーダ装置の泥汚れ検出方法。
【請求項４】
前記飛散範囲推定処理では、前記レーザレーダ装置の周囲に予め設定されている近傍エリア内であって、前記水しぶきが到達すると想定される最大到達高さが前記レーザレーダ装置の設置高さ以上であること、および、前記水しぶきが到達すると想定される水平方向へ最大到達距離が前記移動体までの距離以下であることのうち、少なくともいずれか一方が成立する範囲を、前記飛散範囲として推定することを特徴とする請求項２または３記載のレーザレーダ装置の泥汚れ検出方法。
【請求項５】
前記判別処理によって泥汚れと判別された場合に、前記窓部に泥汚れが生じたことを報知する報知処理を含むことを特徴とする請求項１から４のいずれか一項記載のレーザレーダ装置の泥汚れ検出方法。
【請求項６】
所定の走査角度ごとに物体までの距離を測定するレーザレーダ装置と、
前記レーザレーダ装置の測定エリア内で検出された移動体の速度および当該移動体までの距離を取得する移動体情報取得処理部と、
前記移動体情報取得処理によって取得された前記移動体の速度に基づいて、前記移動体が地面の水たまりを通過したと仮定した場合に当該移動体によって跳ね上げられた水しぶきが飛散する可能性のある飛散範囲を推定する飛散範囲推定処理部と、
前記レーザレーダ装置と前記移動体までの距離が前記飛散範囲推定処理によって推定された前記飛散範囲内である場合、前記移動体によって跳ね上げられた水しぶきが前記レーザレーダ装置に到達すると予想される到達時刻を推定する到達時刻推定処理部と、
前記窓部の位置に物体が検出された場合、当該物体が検出された時刻が前記到達時刻推定処理によって推定された前記到達予想時刻内であるとき、前記窓部の位置に検出された物体を泥汚れと判別する判別処理部と、
を備えることを特徴とする泥汚れ検出装置。
【請求項７】
所定の走査角度ごとに物体までの距離を測定するレーザレーダ装置の窓部の泥汚れを判定する泥汚れ検出装置に、
前記レーザレーダ装置の測定エリア内で検出された移動体の速度および当該移動体までの距離を取得する移動体情報取得処理と、
前記移動体情報取得処理によって取得された前記移動体の速度に基づいて、前記移動体が地面の水たまりを通過したと仮定した場合に当該移動体によって跳ね上げられた水しぶきが飛散する可能性のある飛散範囲を推定する飛散範囲推定処理と、
前記レーザレーダ装置と前記移動体までの距離が前記飛散範囲推定処理によって推定された前記飛散範囲内である場合、前記移動体によって跳ね上げられた水しぶきが前記レーザレーダ装置に到達すると予想される到達時刻を推定する到達時刻推定処理と、
前記窓部の位置に物体が検出された場合、当該物体が検出された時刻が前記到達時刻推定処理によって推定された前記到達予想時刻内であるとき、前記窓部の位置に検出された物体を泥汚れと判別する判別処理と、
を実行させることを特徴とする泥汚れ検出プログラム。
【発明の詳細な説明】
【技術分野】
【０００１】
本発明は、レーザレーダ装置の窓部への泥汚れを検出するレーザレーダ装置の泥汚れ検出方法、泥汚れ検出装置、泥汚れ検出プログラムに関する。
【背景技術】
【０００２】
レーザレーダ装置は、所定の走査角度ごとにレーザ光の照射と物体で反射した反射光の受光とを行っており、反射光を受光するまでの時間に基づいて、各走査角度における物体の検出および距離の測定を行っている。このようなレーザレーダ装置には、レーザ光を透過するための窓部が設けられている。このとき、窓部に物体が付着すると、つまりは、窓部に汚れが付着すると、測定エリア内に照射されるレーザ光の強度が低下したり、レーザ光や反射光が窓部に付着した泥汚れによって遮られたりすることにより、物体の検出や距離の測定の精度が低下する。そのため、例えば特許文献１では、専用のセンサ等を設けることにより、窓部の汚れを検出している。
【先行技術文献】
【特許文献】
【０００３】
【特許文献１】特開２００２−６０３９号公報
【発明の概要】
【発明が解決しようとする課題】
【０００４】
ところで、レーザレーダ装置は、屋外に設置されることも多く、その場合には、落ち葉や着雪、泥汚れといった自然な汚れが窓部に付着する可能性がある。この場合、従来のレーザレーダ装置では、上記した特許文献１のように窓部の位置に汚れ等の物体が付着していること自体は検出できるものの、その物体が意図的つまりは人為的に付けられたものなのか、泥汚れのように自然に付いたものなのかを検出することができなかった。
本発明は上記事情に鑑みてなされたものであり、その目的は、レーザレーダ装置の窓部に付着した物体が自然な泥汚れであるかを検出することができるレーザレーダ装置の泥汚れ検出方法、泥汚れ検出装置、泥汚れ検出プログラムを提供することにある。
【課題を解決するための手段】
【０００５】
まず、レーザレーダ装置の窓部に自然な泥汚れが生じるメカニズムについて検討してみる。レーザレーダ装置の窓部に生じる自然な泥汚れは、地面の泥が跳ね上げられて付着するものと考えられる。ただし、乾燥している地面から泥が跳ね上げられることは考えにくいため、レーザレーダ装置の近くの地面に水たまりが存在しており、その水たまりから水しぶきが生じた結果、窓部に泥汚れが付着するものと考えられる。
【０００６】
つまり、自然な泥汚れが付着する場合には、レーザレーダ装置の近傍には、泥汚れを生じさせるような水たまりが存在していると考えられる。一例を挙げると、例えば資材置き場等の場合、ダンプカーなどの重量があり且つタイヤサイズも大きい車両が頻繁に通ることが予想され、その場合には、地面にでこぼこが生じ易くなる。そして、そのような地面に雨水が溜まり、水たまりになると考えられる。
【０００７】
また、レーザレーダ装置は、一般的に地面から離間した位置に設けられている。そのため、レーザレーダ装置の近傍に水たまりが存在していたとしても、レーザレーダ装置の走査面から外れていることから、直接的に水たまりを検出することはできないと考えられる。また、窓部に汚れが付着する場合には水しぶきがかかるものと推測されるが、レーザレーダ装置ではその水しぶきを検出することができない可能性もある。
【０００８】
そこで、発明者らは、水たまりから水しぶきが生じる要因に着目し、どのような方法であれば泥汚れが付着したことを高い確度で検出できるかについて検討した。
意図的・恣意的に作り出されたものではなく自然に生じた水しぶきの場合、地面に存在している水たまりから水しぶきが自然に生じるとは考えにくい。そのため、水しぶきが生じる場合には、水しぶきが生じる前の時点で、例えば車両等、水しぶきを生じさせる何らかの物体が検出されていると考えられる。
そして、その水しぶきに泥が含まれおり、窓部にかかったとすると、水しぶきに含まれる泥が窓部に付着して泥汚れになると考えられる。
このように、自然な泥汚れの場合には、泥汚れが付着するメカニズムをある程度想定することができる。
【０００９】
そこで、請求項１に係る発明では、レーザレーダ装置によって検出された移動体の速度および当該移動体までの距離を取得する移動体情報取得処理と、移動体の速度に基づいて、移動体が地面の水たまりを通過したと仮定した場合に当該移動体によって跳ね上げられた水しぶきが飛散する可能性のある飛散範囲を推定する飛散範囲推定処理と、レーザレーダ装置と移動体との距離が飛散範囲内である場合、跳ね上げられた水しぶきがレーザレーダ装置に到達すると予想される到達時刻を推定する到達時刻推定処理と、窓部の位置に新たに物体が検出された場合、当該物体が検出された時刻が到達予想時刻に一致するとき、その物体を泥汚れと判別する判別処理と、を含んでいる。
【００１０】
上記したように、レーザレーダ装置の窓部に自然な泥汚れが付着するのは、例えば車両が水たまり上を通過した際に跳ね上げられた水しぶきによるものと考えられる。その場合、水しぶきは、地面から上昇するものと考えられ、その場合、自然に発生した水しぶきであれば、物理法則に沿った運動をすると考えられる。そして、レーザレーダ装置の近傍に車両等の移動体が検出された際に、それまでは検出されていなかった物体が窓部の位置に検出された場合、その物体は、移動体によって跳ね上げられた水しぶきに含まれていた泥であると推測できる。
【００１１】
そこで、移動体情報取得処理により移動体の情報を取得し、飛散範囲推定処理により水しぶき６が飛散する飛散範囲を求め、到達時刻推定処理によりその水しぶきがレーザレーダ装置に到達する到達予想時刻を求め、判別処理により物体が検出された時刻が到達予想時刻に一致するときにその物体を泥汚れと判別することにより、高い確度で泥汚れであると判別できる。
したがって、レーザレーダ装置の窓部に付着した物体が自然な泥汚れであることを検出することができる。
この場合、移動体までの距離と速度というレーザレーダ装置単体で検出可能なデータに基づいて泥汚れであるかを検出できることから、特別な専用センサ等を設けなくても、また、既設の装置に対しても容易に本発明を適用することができる。
【００１２】
請求項２に係る発明では、水しぶきが、移動体の速度との関係が予め対応付けられている初速度および投射角度で斜方投射された後に放物線運動するものとして、飛散範囲を推定する。
水しぶきは、移動体の種類や水たまりの深さによって跳ね上がる初速度や投射角度が異なることがある。この場合、移動体の重量や、車両であればタイヤ幅等も関わってくるものの、最も大きな要因としては、移動の速度が挙げられる。ただし、レーザレーダ装置単体では、移動体の種類や水たまりの深さを検出することは困難である。
そのため、水しぶきの初速度および投射角度と移動体の速度との関係を予め実験等により測定しておき、移動体の速度と初速度および投射角度とを対応付けておくことで、飛散範囲を精度よく推定することができる。
【００１３】
請求項３に係る発明では、水しぶきの初速度が移動体の速度に一致し、その投射角度が４５°であるとして、飛散範囲を推定する。これらの値は、実験結果に基づいた平均的な値として設定されている。これにより、水しぶきの平均的な飛散範囲を推定することができ、移動体の種類を推定するような処理を行うことなく、また、移動体の種類が異なるような状況であっても実際の水しぶきと大きなずれが生じない実用的なレベルで、水しぶきの飛散範囲を推定することができる。
【００１４】
請求項４に記載した発明では、レーザレーダ装置の周囲に予め設定されている近傍エリア内であって、水しぶきが到達すると想定される最大到達高さがレーザレーダ装置の設置高さ以上であること、および、水しぶきが到達すると想定される水平方向へ最大到達距離が移動体までの距離以下であることのうち、少なくともいずれか一方が成立する範囲を、飛散範囲として推定する。
自然に発生した水しぶきは、基本的には物理法則に沿って放物線運動すると考えられるが、風が吹いていたり障害物が存在していたりする場合には、放物線運動から外れた軌道を描くことが想定される。
【００１５】
ただし、その場合であっても、窓部に水がかかるのは、水しぶきがレーザレーダ装置よりも高く飛散した場合か、水しぶきが飛散する距離内にレーザレーダ装置が設置されている場合であると考えられる。
そのため、近傍エリア内であって、水しぶきが到達すると想定される最大到達高さがレーザレーダ装置の設置高さ以上であること、および、水しぶきが到達すると想定される水平方向へ最大到達距離が移動体までの距離以下であることを条件とすることで、外部環境に依存する要因を考慮した上で、飛散範囲を推定することができるようになる。
【００１６】
請求項５に係る発明では、判別処理によって泥汚れと判別された場合に、窓部に泥汚れが生じたことを報知する報知処理を含む。レーザレーダ装置により監視を行っている場合には、物体が検出されると、侵入が報知され、警備員が出動するような対応が取られることがある。しかし、泥汚れが付着しただけであれば、清掃員が作業をすれば十分に対応できると考えられる。そのため、窓部に泥汚れが生じたことを報知することにより、警備員ではなく清掃員を呼ぶといった柔軟な対応を取ることができる。
また、上記した泥汚れ検出方法の発明と共通する技術的思想に基づいてなされた請求項６に係る泥汚れ判定装置の発明、および請求項７に係る泥汚れ判定プログラムの発明も、同様に、レーザレーダ装置の窓部に付着した物体が自然な泥汚れであるかを判別することができる。
【図面の簡単な説明】
【００１７】
【図１】実施形態における泥汚れ検出装置を適用した監視装置の構成を模式的に示す図
【図２】監視装置の測定エリアを模式的に示す図
【図３】泥はねが生じるメカニズムの一例を時系列で模式的に示す図
【図４】泥汚れ検出処理の流れを示す図
【図５】飛散範囲の一例を模式的に示す図
【図６】水しぶきがかかる状況の一例を模式的に示す図
【発明を実施するための形態】
【００１８】
以下、本発明の実施形態について図１から図６を参照しながら説明する。
図１に示すように、泥汚れ検出装置としても機能する監視装置１は、レーザレーダ装置２と、レーザレーダ装置２を制御する制御装置３とにより構成されている。なお、本実施形態では泥汚れ検出装置をレーザレーダ装置２と制御装置３とにより構成した例を示しているが、後述する泥汚れ検出処理等をレーザレーダ装置２側で行うことにより、レーザレーダ装置２単体で泥汚れ検出装置を構成することもできる。
【００１９】
レーザレーダ装置２は、制御部２０、照射部２１、回転ミラー２２、受光部２３、および記憶部２４等を備えている。これら各部は、筐体２５内に収容されている。この筐体２５には、レーザ光および反射光を透過させる窓部２６が設けられている。
レーザレーダ装置２の制御部２０は、図示しないＣＰＵやＲＯＭおよびＲＡＭなどを有するマイクロコンピュータにより構成されており、記憶部２４などに記憶されているコンピュータプログラムを実行することによりレーザレーダ装置２の全体を制御する。
【００２０】
レーザレーダ装置２は、回転ミラー２２を回転させることにより、照射部２１から照射されたレーザ光を、所定の走査角度ごとに対象エリアに向けて照射する。そして、レーザレーダ装置２は、レーザ光を照射してから符号Ｍにて示す物体で反射した反射光が受光部２３で受光されるまでの経過時間に基づいて、各走査角度において物体までの距離を測定する。そして、レーザレーダ装置２により物体が検出された場合には、検出された物体の走査角度および距離等に基づいて、周知のように侵入検知処理が行われる。なお、侵入検知処理では、例えば音声あるいは信号等により侵入物を検出した旨が報知される。
【００２１】
制御装置３は、制御部３０および報知部３１等を備えている。この制御装置３は、いわゆるパソコンで構成されており、図示は省略するが、レーザレーダ装置２による監視状況やカメラで撮像した画像等を表示する表示部、およびマウスやキーボード等のユーザの操作を入力する入力部も備えている。本実施形態の監視装置１の場合、レーザレーダ装置２側では基本的に物体を検出する処理を行っており、制御装置３側において侵入物の有無の判定や、詳細は後述するが、泥汚れ検出プログラムを実行することにより移動体情報取得処理、飛散範囲推定処理、到達時刻推定処理、判別処理および報知処理等を行っている。つまり、本実施形態では、制御部３０が、移動体情報取得処理部、飛散範囲推定処理部、到達時刻推定処理部、判別処理部を構成している。
【００２２】
次に、上記した構成の作用について説明する。
監視装置１は、図２に示すように、予め設定されている測定エリアＲ１内の侵入物を検出する。この測定エリアＲ１は、レーザレーダ装置２の測定限界距離Ｌｍを外縁とする概ね半円状に設定されている。監視装置１は、矢印Ｓにて示す走査方向で、Ａ０、Ａ１・・・Ａｎとして示す所定の走査角度ごとに、測定エリアＲ１内の物体、例えば車両４等の検出を繰り返し行っている。なお、図２には示していないが、測定エリアＲ１内に存在する建物等の固定物は、周知のように、予め侵入検知対象からは外されている。
【００２３】
このレーザレーダ装置２の周囲には、判定距離Ｌｓを外縁とする近傍エリアＲ２が予め設定されている。この判定距離Ｌｓは、窓部２６への泥汚れの付着を検出するために設定されている距離である。本実施形態の場合、水たまり５からの水しぶきに含まれる泥が窓部２６に付着することによる泥汚れを想定している。その場合、水たまり５は、比較的レーザレーダ装置２の近くにあると考えられる。そのため、判定距離Ｌｓは、水しぶきが飛散すると想定される程度の距離、例えば、概ね数ｍ〜１０数ｍ程度の範囲に設定されている。また、本実施形態では、判定距離Ｌｓは、資材置き場を走行するダンプカー等、重量があり、且つ、タイヤサイズの大きな車両４を考慮して、１０ｍに設定されている。つまり、判定距離Ｌｓは、近傍エリアＲ２を移動する物体の種類や速度を予め想定しておき、それに応じて設定することができる。
【００２４】
ここで、泥汚れのような自然な汚れがレーザレーダ装置２の窓部２６に付着する状況について検討してみる。
レーザレーダ装置２は、監視する対象物によって異なることはあるものの、例えば車両４等を検出する場合には、地面から１ｍ程度の高さに設置されることが考えられる。そのため、窓部２６に自然な泥汚れが付着するのは、地面から泥が跳ね上げられたときであると考えられる。ただし、乾燥した泥が自然に跳ね上がることは考えにくいため、泥汚れが付着するとすれば、近傍エリアＲ２内に水たまり５等が存在し、その上を例えば車両４等の移動体が通過したときに泥が跳ね上げられた可能性が高いと考えられる。
【００２５】
具体的には、図３（ａ）に示すように、時刻ｔ１の時点において、レーザレーダ装置２の近傍の地面に水たまり５が存在し、その水たまり５に向かって車両４が接近しているとする。その後、図３（ｂ）に示すように、時刻ｔ２の時点において水たまり５に車両４が差しかかると、タイヤが水たまり５を踏むことによって、水たまり５から水しぶき６が生じる。この水しぶき６がレーザレーダ装置２に徐々に接近していくと、図３（ｃ）に示すように、時刻ｔ３の時点において水しぶき６が窓部２６にかかる。このとき、水しぶき６に含まれている泥が窓部２６に付着する可能性がある。
【００２６】
そして、窓部２６に泥が付着した場合には、図３（ｄ）に示すように、時刻ｔ４の時点において窓部２６の位置に付着物７が検出されることになる。また、この付着物７が車両４によって跳ね上げられた水しぶき６により付着したものである場合、その付着物７は、車両４が水たまり５を通過前の時点では付着しておらず、車両４が水たまり５を通過してから付着するはずであり、且つ、車両４が水たまり５を通過してから比較的短い期間内に付着するはずである。
【００２７】
このように、レーザレーダ装置２の窓部２６に泥汚れが自然に付着する場合には、泥汚れが付着する状況をある程度想定することができる。
そこで、監視装置１は、以下に説明する泥汚れ判定方法により、窓部２６の位置に検出された物体が自然に付着した泥汚れであるか否かを判定している。なお、前提として、監視装置１は、従来と同様にレーザレーダ装置２による物体の検出結果に基づいて、測定エリアＲ１への侵入物を検出する処理も行っている。また、物体が検出された検出結果は、検出履歴として記憶されている。そのため、例えば図３における時刻ｔ４の時点において、時刻ｔ４よりも前の期間となる例えば時刻ｔ１、ｔ２等においてどのような事象が発生していたかを、検出履歴に基づいて参照することができる。
【００２８】
監視装置１は、泥汚れ検出方法を実現するために、図４に示す泥汚れ検出処理を繰り返し実行している。この泥汚れ検出処理は、制御装置３の制御部３０に泥汚れ検出プログラムを実行させることにより実現されているが、説明の簡略化のために、監視装置１を主体として説明する。
監視装置１は、泥汚れ検出処理において、測定エリアＲ１内で検出された移動体の速度およびレーザレーダ装置２からの距離を取得する（Ｓ１）。この場合、侵入検知処理によって取得された移動体の速度と距離を参照するようにしてもよい。このステップＳ１の処理が、移動体情報取得処理に相当する。
【００２９】
続いて、監視装置１は、飛散範囲を推定する（Ｓ２）。このとき、監視装置１は、近傍エリアＲ２内で検出された車両４等の移動体が、その検出された位置で水たまり５を通過したと仮定して、飛散範囲を推定する。これは、レーザレーダ装置２から数１０ｍ離れている場合には、水しぶき６がかかるとは考えにくいためである。
また、監視装置１は、以下のようにして飛散範囲を推定している。水しぶき６が自然に発生したものである場合には、換言すると、水しぶき６が意図的・恣意的に発生させられたものではない場合には、その水しぶき６は、物理法則に沿った運動をすると考えられる。このステップＳ２の処理が、飛散範囲推定処理に相当する。
【００３０】
具体的には、図５（ａ）に示すように、車両４が水たまり５に差し掛かった場合、水たまり５から水しぶき６が生じる。そして、生じた水しぶき６は、線分Ｇ１にて示すように、物理法則に沿った放物線運動すると想定される。このとき、水しぶき６の初速度と投射角度が分かれば、放物線運動の公式に基づいて、水しぶき６の最大到達高さと、水平方向への最大到達距離を求めることができる。例えば水しぶき６の初速度がＶ、投射角度がθであった場合には、水平方向への移動速度はＶ・ｃｏｓθであり、垂直方向への移動速度はＶ・ｓｉｎθであり、最大到達高さは（１／２ｇ）・（Ｖ・ｓｉｎ（θ））であり、最大到達距離は（１／ｇ）・（Ｖ＾２）・ｓｉｎ（２θ））である。なお、ｇは重力加速度であり、Ｎ＾２はＮの２乗を示している。
【００３１】
また、初速度と投射角度が分かれば、水しぶき６が生じた時点からの時間経過による水平方向への移動距離も求めることができる。例えば、水しぶき６が生じた時点からの時間経過をｔとすると、移動距離は、Ｖ・ｃｏｓ（θ）・ｔである。
さらに、その水しぶき６が例えば車両４が水たまりを通過したことによって発生したものを想定する場合には、その水しぶき６の飛散範囲と車両４の種類や速度との対応関係を、実験等によりある程度把握することができる。つまり、車両４の速度がＶｍであったとすると、実験により、ＶとＶｍとの関係を求めることができる。このため、ＶとＶｍとの関係とを予め設定しておくことにより、飛散範囲を推定することができる。
【００３２】
また、水しぶき６は、図５（ｂ）に示すように、高さ方向にある程度の幅をもって飛散すると考えられる。つまり、水しぶき６の初速度は一定値ではなく、その投射角度も一定値ではないと考えられる。このため、飛散範囲は、理屈の上では、符号Ｒ３を付して斜線で示すような水しぶき６の上端を示す線分Ｇ１と水しぶき６の下端を示す線分Ｇ２との間の範囲となると推定できる。
【００３３】
ところで、水しぶき６の初速度や投射角度が車両４の種類、より具体的に言えば、車両４の重量やタイヤ幅が関わっていることが実験により明らかになっている。また、水たまり５の深さも、水しぶき６の初速度や投射角度に関わってくることが実験により明らかになっている。
しかし、レーザレーダ装置２単独では、車両４の種類までを検出することは困難である。そのため、本実施形態では、実験結果に基づいて汎用的に用いることができ、妥当に判定できる値として、水しぶき６の初速度（Ｖ）を車両４の速度（Ｖｍ）に一致すると予め設定しているとともに、水しぶき６の投射角度を４５°に予め設定している。
【００３４】
そのため、図５（ａ）に示す線分Ｇ１は、車両４の速度に一致する初速度で、４５°の投射角度で、車両４に対して横方向に飛散する水しぶき６の軌道として求められている。つまり、実験により求めた平均値や、ある程度モデル化した水しぶき６を想定することで、移動体の種類が異なる場合であっても実際の水しぶき６に近似した、あるいは、実際の水しぶき６の平均的な飛散モデルに一致した条件で、飛散範囲を推定することができる。
【００３５】
ただし、そのような場合であっても、例えば図６（ａ）に示すようにレーザレーダ装置２に向かって風が吹いている場合には、水しぶき６が風に乗って線分Ｇ１から離れた軌道を描き、理屈の上では到達しないはずのレーザレーダ装置２にまで到達する可能性がある。また、図６（ｂ）に示すようにレーザレーダ装置２と車両４との間に縁石８等が存在している場合には、縁石８によって水しぶき６が反射して、理屈の上では到達しないはずの窓部２６の高さにまで到達する可能性がある。また、上記したように、実際の水しぶき６の初速度や投射角度は車両４の種類や水たまりの深さによって異なることがある。
【００３６】
そのような現実的な実情に鑑みて、本実施形態では、近傍エリアＲ２内であって、水しぶき６が到達すると想定される最大到達高さがレーザレーダ装置２の設置高さ以上であること、および、水しぶき６が到達すると想定される水平方向へ最大到達距離が車両４までの距離以下であることのうち、少なくともいずれか一方が成立する範囲を、飛散範囲として推定する。なお、最大到達距離が車両４までの距離以下であるということは、最大到達距離内にレーザレーダ装置２が位置していることを意味している。
【００３７】
さて、飛散範囲を推定すると、監視装置１は、レーザレーダ装置２が飛散範囲内であるか否か、すなわち、レーザレーダ装置２と検出された移動体である車両４までの距離が飛散範囲内であるか否かを判定する（Ｓ３）。監視装置１は、飛散範囲内でない場合には（Ｓ３：ＮＯ）、処理を終了する。なお、ここでは説明の簡略化のために処理を終了するとしたが、処理を終了せず、ステップＳ１に移行して、次の泥汚れの検出を待機するようにしてもよい。
【００３８】
一方、監視装置１は、飛散範囲内である場合には（Ｓ３：ＹＥＳ）、車両４によって跳ね上げられた水しぶき６がレーザレーダ装置２に到達すると予想される到達予想時刻を推定する（Ｓ４）。このステップＳ４の処理が、到達時刻推定処理に相当する。具体的には、監視装置１は、車両４までの距離がＬ１であった場合、理論上の到達時間をＴ１とすると、Ｔ１＝（Ｌ１）／（Ｖ・ｃｏｓ（θ））として求めることができる。本実施形態では、監視装置１は、求めたＴ１に対して許容範囲を設定し、その許容範囲に含まれる期間を、到達予想時刻として推定している。つまり、到達予想時刻は、Ｔ１±αとして推定される。なお、αは、１秒程度の値で適宜設定すればよい。
【００３９】
続いて、監視装置１は、窓部２６の位置に物体を検出したか否かを判定する（Ｓ５）。監視装置１は、物体を検出していない場合には（Ｓ５：ＮＯ）、到達予想時刻が経過したか否かを判定し（Ｓ９）、到達予想時刻が経過していなければ（Ｓ９：ＮＯ）ステップＳ５に移行する一方、到達予想時刻が経過していれば（Ｓ９：ＹＥＳ）処理を終了する。なお、この場合も、ステップＳ１に移行して次の泥汚れの検出を待機するようにしてもよい。
【００４０】
これに対して、監視装置１は、窓部２６の位置に物体を検出した場合には（Ｓ５：ＹＥＳ）、物体を検出した時刻が到達予想時刻に一致するか否かを判定する（Ｓ６）。監視装置１は、物体を検出した時刻が到達予想時刻に一致する場合には（Ｓ６：ＹＥＳ）、その物体が水しぶき６によって付いたものであるとして、その物体を泥汚れであるとする（Ｓ７）。このステップＳ５〜Ｓ７の処理が、判別処理に相当する。そして、監視装置１は、泥汚れを検出したことを報知して（Ｓ８）、終了する。このステップＳ８の処理が、報知処理に相当する。なお、この場合も、ステップＳ１に移行して次の泥汚れの検出を待機するようにしてもよい。
【００４１】
一方、監視装置１は、物体を検出した時刻が到達予想時刻に一致しなかった場合には（Ｓ６：ＮＯ）、その物体が水しぶき６によって付いたものではないとして、つまりは、泥汚れではないとして（Ｓ１０）、処理を終了する。なお、この場合には、泥汚れではない物体が窓部２６に付着したことを報知してもよい。
このように、監視装置１は、窓部２６に自然に泥汚れが付着する状況を予め想定しておき、窓部２６に物体が検出されたときの状況が想定した状況と一致するとき、窓部２６に付着した物体が泥汚れであるとして、自然な泥汚れを検出している。
【００４２】
以上説明した実施形態によれば、次のような効果を得ることができる。
上記したように、レーザレーダ装置２の窓部２６に自然な泥汚れが付着するのは、例えば車両４が水たまり５上を通過した際に跳ね上げられた水しぶき６によるものと考えられる。その場合、水たまり５は、比較的レーザレーダ装置２の近傍に存在していると考えられる。また、自然な水たまり５は地面にあると考えられるため、水しぶき６は、地面から上昇すると考えられ、その場合には、レーザレーダ装置２の測定範囲外から突如としてレーザレーダ装置２の測定範囲内に検出されることになる。また、自然に発生した水しぶきであれば、物理法則に沿った運動をすると考えられる。
【００４３】
このため、レーザレーダ装置２の近傍に車両４等の移動体が検出された際に、それまでは検出されていなかった物体が窓部２６の位置に検出された場合、その物体は、移動体によって跳ね上げられた水しぶき６に含まれている泥であると推測できる。
そこで、実施形態の泥汚れ検出方法では、移動体情報取得処理により移動体の情報を取得し、飛散範囲推定処理により水しぶき６が飛散する飛散範囲を求め、到達時刻推定処理によりその水しぶき６がレーザレーダ装置２に到達する到達予想時刻を求め、判別処理により物体が検出された時刻が到達予想時刻に一致するときにその物体を泥汚れと判別することにより、高い確度で泥汚れを検出することができる。
【００４４】
したがって、レーザレーダ装置２の窓部２６に付着した物体が泥汚れであると判別すること、すなわち、自然な泥汚れであるかを判定することができる。
この場合、監視装置１は、物体が検出されたときの状況や、検出された物体が検出されなくなったときの状況等、レーザレーダ装置２でも検出可能なデータに基づいて泥汚れを判別している。このため、特別な専用センサ等を設けなくても、また、既設の装置に対しても、泥汚れ判定方法を適用することができる。
【００４５】
この場合、飛散範囲推定処理では、水しぶき６が、移動体の速度との関係が予め対応付けられている初速度および投射角度で斜方投射された後に放物線運動するものとして、飛散範囲を推定する。
水しぶき６は、移動体の種類や水たまり５の深さによって跳ね上がる速度や角度が異なることが想定されるが、レーザレーダ装置２単体では、移動体の種類や水たまり５の深さを検出することは困難である。そのため、水しぶき６の初速度および投射角度と移動体の速度との関係を予め実験等により測定しておき、移動体の速度と初速度および投射角度とを対応付けておくことで、飛散範囲を精度よく推定することができる。
【００４６】
この場合、水しぶき６の初速度が移動体の速度に一致するとし、投射角度が４５°であるとして飛散範囲を推定すれば、移動体の種類を推定するような処理を行うことなく、また、移動体の種類が異なるような状況であっても実際の水しぶき６と大きなずれが生じない実用的なレベルで、水しぶき６の飛散範囲を推定することができる。
また、飛散範囲推定処理では、レーザレーダ装置２の周囲に予め設定されている近傍エリアＲ２内であって、水しぶき６が到達すると想定される最大到達高さがレーザレーダ装置２の設置高さ以上であること、および、水しぶき６が到達すると想定される水平方向へ最大到達距離が移動体までの距離以下であることを条件とすることで、外部環境に依存する要因を考慮した上で、飛散範囲を推定することができるようになり、図６に示したように周辺環境によって水しぶき６が理屈の上での軌道から外れるような状況にも対応することができる。
【００４７】
すなわち、近傍エリアＲ２内であって、水しぶき６が到達すると想定される最大到達高さがレーザレーダ装置の設置高さ以上であること、および、水しぶきが到達すると想定される水平方向へ最大到達距離が移動体までの距離以下であることを条件とすることができる。
また、泥汚れと判別された場合に、窓部２６に泥汚れが生じたことを報知する報知処理を行う。通常、レーザレーダ装置２により監視を行っている場合、物体が検出されると、侵入が報知され、警備員が出動するような対応が取られることになる。しかし、泥汚れの場合には、清掃員が作業をすれば十分に対応できる。そのため、窓部２６に泥汚れが生じたことを報知することにより、警備員ではなく清掃員を呼ぶといった対応を取ることができ、ユーザが柔軟な対応を取ることができる。
【００４８】
また、レーザレーダ装置２と、実施形態では制御装置３の制御部３０で実現している移動体情報取得処理部、飛散範囲推定処理部、到達時刻推定処理部および判別処理部と、を備えた泥汚れ検出装置としての監視装置１によっても、上記した泥汚れ判定方法と同様の効果を得ることができる。
また、実施形態では監視装置１で実現している泥汚れ検出装置に、移動体情報取得処理、飛散範囲推定処理、到達時刻推定処理、判別処理を実行させることを特徴とする泥汚れ検出プログラムによっても、上記した泥汚れ判定方法と同様の効果を得ることができる。
【００４９】
（その他の実施形態）
本発明は、上記し且つ図面に記載した態様に限定されるものではなく、その要旨を逸脱しない範囲で種々の変形や拡張をすることができる。
各実施形態で示した距離や数等は例示であり、それに限定されるものではない。
実施形態では水しぶき６の初速度および投射角度を予め設定したが、移動体の速度との関係に基づいて、移動体の速度に応じて初速度および投射角度を変更してもよい。
【００５０】
実施形態では制御装置３の制御部３０で移動体情報取得処理部、飛散範囲推定処理部、到達時刻推定処理部、判別処理部を構成する例を示したが、レーザレーダ装置２の制御部２０で泥汚れ検出プログラムを実行することにより移動体情報取得処理、飛散範囲推定処理、到達時刻推定処理、判別処理を行ってもよい。すなわち、レーザレーダ装置２の制御部２０で移動体情報取得処理部、飛散範囲推定処理部、到達時刻推定処理部、判別処理部を構成してもよい。
【００５１】
水しぶき６に含まれる泥は、それほど大きくないと考えられる。そのため、窓部２６の位置で検出された物体の大きさが、例えば１〜２ｃｍ程度の許容サイズ以下の物体である場合、泥汚れである可能性が高いと考えることができる。窓部２６の位置に検出された物体の大きさを、泥汚れであるか否かの判別条件に加えてもよい。この場合、許容サイズを超えるような大きさの物体が検出された場合には、自然な汚れではなく、意図的な汚れである可能性が高いと考えることもできる。
【００５２】
また、泥汚れではないと判定された場合に、窓部２６に泥汚れが生じる可能性があることを報知する構成としてもよい。これにより、将来的に泥汚れが生じる可能性を、実際に泥汚れが生じる前に報知することができ、例えば地面をならす等、水しぶき６がレーザレーダ装置２にかからないようにするための対応を取ることができるようになる。
【００５３】
実施形態では測定エリアＲ１を平面的に走査するレーザレーダ装置２を例示したが、回転ミラー２２を傾動可能とすることで高さ方向への走査も可能なレーザレーダ装置であっても、突発的に出現した物体を検出し、その後に窓部２６に付着した物体があるか否かを検出することで、泥汚れであるか否かを判別することができる。つまり、本願は、高さ方向への走査も可能なレーザレーダ装置にも適用することができる。
【符号の説明】
【００５４】
図面中、１は監視装置（泥汚れ検出装置）、２はレーザレーダ装置（泥汚れ検出装置）、３は制御装置（泥汚れ検出装置）、４は車両（物体、移動体）、６は水しぶき（物体、突発物）、７は付着物（物体、泥汚れ）、２０は制御部（移動体情報取得処理部、飛散範囲推定処理部、到達時刻推定処理部、判別処理部）、２６は窓部、３０は制御部（移動体情報取得処理部、飛散範囲推定処理部、到達時刻推定処理部、判別処理部）、３１は報知部、Ｒ１は測定エリア、Ｒ２は近傍エリアを示す。
【図１】
2017090381.tif 000003
【図２】
2017090381.tif 000004
【図３】
2017090381.tif 000005
【図４】
2017090381.tif 000006
【図５】
2017090381.tif 000007
【図６】
2017090381.tif 000008